(57)【要約】  【課題】フィルムと金属層の密着性を向上させる。  【解決手段】  本発明の表面処理装置１は真空槽２内に配置された第一、第二の電極４、５を有している。第二の電極５を接地電位に置き、第一の電極４に矩形状の交番電圧を印加すると、第一の電極４の側面近傍にプラズマが形成されるので、樹脂フィルム１０を第一の電極４の側面に密着させながら走行させれば、樹脂フィルム１０が連続してプラズマに晒される。負電圧が印加される時間が、正電圧が印加される時間よりも長くなるような矩形状の交番電圧を第一の電極４に印加すれば、樹脂フィルム１０に正イオンが入射する時間が長くなるので、樹脂フィルム１０の表面が強く活性化する。【選択図】図１
2006351437.tif 000002
【特許請求の範囲】
【請求項１】
真空槽と、
前記真空槽内に互いに離間して配置された第一、第二の電極と、
前記第一、第二の電極の間に矩形状の交番電圧を印加可能な電源と、
前記第一、第二の電極の間でフィルムを走行可能に構成された走行手段とを有し、
前記フィルムを走行させながら、前記第一、第二の電極の間に矩形状の交番電圧を印加すると、前記フィルムが前記第一、第二の電極の間を走行する際に表面処理されるように構成された表面処理装置であって、
前記第一の電極は円筒形状であって、前記第一の電極の側面は前記第二の電極に向けられた表面処理装置。
【請求項２】
前記第一の電極は円筒の中心軸線を中心として回転可能に構成された請求項１記載の表面処理装置。
【請求項３】
前記第二の電極は、前記第一の電極の円周に沿って並べられた複数の単位電極で構成された請求項１又は請求項２のいずれか１項記載の表面処理装置。
【請求項４】
前記走行手段は、前記真空槽内に配置された巻取軸を有し、
前記巻取軸は、前記真空槽内に配置された前記フィルムのロールから、前記フィルムを巻取り、前記フィルムを走行させるように構成された請求項１乃至請求項３のいずれか１項記載の表面処理装置。
【請求項５】
処理ガスを含む真空雰囲気中で、第一の電極に接触した状態でフィルムを走行させながら、前記フィルムを挟んで前記第一の電極と反対側に配置された第二の電極と、前記第一の電極の間に矩形状の交番電圧を印加する表面処理方法。
【請求項６】
前記第一の電極は円筒状であって、前記フィルムを前記第一の電極の側面に接触させ、前記フィルムが前記第一の電極の側面に相対的に静止した状態で、前記フィルムを走行させる請求項５記載の表面処理方法。
【請求項７】
前記フィルムの走行は、前記真空雰囲気中に前記フィルムのロールを配置しておき、前記真空雰囲気中に配置された巻取軸の周囲に、前記ロールから繰り出された前記フィルムを巻き取る請求項５又は請求項６のいずれか１項記載の表面処理方法。
【発明の詳細な説明】
【技術分野】
【０００１】
本発明は、フィルムの表面処理装置及び表面処理方法に関する。
【背景技術】
【０００２】
ＰＥＴ（ポリエチレンテレフタレート）樹脂や、ポリイミド樹脂等で構成された樹脂フィルムの表面に、アルミニウムやクロム等の金属膜を形成して金属膜付きフィルムを製造する工程では、通常、金属膜を形成する前に、樹脂フィルムと金属膜との密着性を向上させるために、樹脂フィルムの表面処理が行われる。
【０００３】
表面処理の代表的なものは、電子源や電子銃から電子ビームを樹脂フィルムに照射する方法、あるいは、先端鋭利な電極に高電圧を印加し、電極とフィルムとの間でコロナ放電を起こして、樹脂フィルムをイオンや電子に曝して処理する方法がある。
【０００４】
また大掛かりな表面処理方法としては、イオン源を設け、イオン源から樹脂フィルムにイオンを照射し、化学的あるいは物理的な衝撃を樹脂フィルムに当てて表面処理を行っている。これらの従来の表面処理方法において、上述したイオン源や電子源や電子銃を用いる方法は、装備が大掛かりになり、表面処理装置の製造コストが非常に高くなるという問題がある。
【０００５】
一方、コロナ放電は上述した表面処理装置に比べて装置の構造が簡易的ではあるが、樹脂フィルムの金属膜密着性の改善があまり見られないとの報告がある。また、従来の表面処理方法で表面処理された樹脂フィルムは、一旦大気雰囲気に取り出すと、金属膜密着性の効果が低減してしまうという問題があり、従って、表面処理装置を金属膜成膜装置（例えば蒸着装置）の真空槽に付属して設け、表面処理と金属膜の成膜を同じ真空槽内で行う必要があった。
【特許文献１】特開平１１−２２４７９５号公報
【特許文献２】特開２０００−２３１８６４号公報
【特許文献３】特開２００１−９８３７４号公報
【発明の開示】
【発明が解決しようとする課題】
【０００６】
本発明は、従来のもののもつ問題を解決するもので、表面処理と蒸着処理を独立にでき、かつ密着性の改善効果を高め、コストを押えることを目的とする。
【課題を解決するための手段】
【０００７】
上記課題を解決するために請求項１記載の発明は、真空槽と、前記真空槽内に互いに離間して配置された第一、第二の電極と、前記第一、第二の電極の間に矩形状の交番電圧を印加可能な電源と、前記第一、第二の電極の間でフィルムを走行可能に構成された走行手段とを有し、前記フィルムを走行させながら、前記第一、第二の電極の間に矩形状の交番電圧を印加すると、前記フィルムが前記第一、第二の電極の間を走行する際に表面処理されるように構成された表面処理装置であって、前記第一の電極は円筒形状であって、前記第一の電極の側面は前記第二の電極に向けられた表面処理装置である。
請求項２記載の発明は、請求項１記載の表面処理装置であって、前記第一の電極は円筒の中心軸線を中心として回転可能に構成された表面処理装置である。
請求項３記載の発明は、請求項１又は請求項２のいずれか１項記載の表面処理装置であって、前記第二の電極は、前記第一の電極の円周に沿って並べられた複数の単位電極で構成された表面処理装置である。
請求項４記載の発明は、請求項１乃至請求項３のいずれか１項記載の表面処理装置であって、前記走行手段は、前記真空槽内に配置された巻取軸を有し、前記巻取軸は、前記真空槽内に配置された前記フィルムのロールから、前記フィルムを巻取り、前記フィルムを走行させるように構成された表面処理装置である。
請求項５記載の発明は、処理ガスを含む真空雰囲気中で、第一の電極に接触した状態でフィルムを走行させながら、前記フィルムを挟んで前記第一の電極と反対側に配置された第二の電極と、前記第一の電極の間に矩形状の交番電圧を印加する表面処理方法である。
請求項６記載の発明は、請求項５記載の表面処理方法であって、前記第一の電極は円筒状であって、前記フィルムを前記第一の電極の側面に接触させ、前記フィルムが前記第一の電極の側面に相対的に静止した状態で、前記フィルムを走行させる表面処理方法である。
請求項７記載の発明は、請求項５又は請求項６のいずれか１項記載の表面処理方法であって、前記フィルムの走行は、前記真空雰囲気中に前記フィルムのロールを配置しておき、前記真空雰囲気中に配置された巻取軸の周囲に、前記ロールから繰り出された前記フィルムを巻き取る表面処理方法である。
【発明の効果】
【０００８】
第一、第二の電極の間にプラズマを形成しながらフィルムを走行させれば、フィルムの走行方向に沿って長い領域に連続して表面処理を施すことができる。本発明により表面処理されたフィルムは、大気に曝された程度では活性が失活しないので、表面処理と、表面処理後の成膜工程とを同じ真空槽内で行う必要がなく、表面処理装置と成膜装置とを別々にすることができる。
【発明を実施するための最良の形態】
【０００９】
図１の符号１は本発明の表面処理装置の一例を示しており、表面処理装置１は真空槽２を有している。真空槽２の内部には第一の電極４が配置されている。第一の電極４は円筒形状であって、その側面から所定距離だけ離れた位置には第二の電極５が配置されている。
【００１０】
ここでは、第二の電極５は１乃至複数枚の板状の単位電極２５で構成されており、各単位電極２５は表面を第一の電極４の側面に向けた状態で、第一の電極４の円周に沿って並べられている。各単位電極２５の裏面は、絶縁碍子２６の上端に取り付けられてており、絶縁碍子２６の下端は取り付け部材２９に取り付けられている。
【００１１】
各単位電極２５は、板の中心と、第一の電極４の円筒の中心を結ぶ線分に対して、単位電極２５の表面が垂直になるように配置されており、各単位電極２５の表面の中心と第一の電極４の側面との間の距離は、各単位電極２５で互いに等しくなるように、絶縁碍子２６が取り付け部材２９上に配置されている。
【００１２】
ここでは、各単位電極２５は接地電位に接続され、第一の電極４は図２に示す電源装置８の出力端子に接続されている。真空槽２には真空排気系９とガス供給系７が接続されており、真空排気系９によって真空槽２内部を真空排気しながら、ガス供給系７から真空槽２内部に処理ガスを導入し、電源装置８から後述する波形の交番電圧を出力すると、各単位電極２５と第一の電極４との間に矩形状の交番電圧が印加され、各単位電極２５と第一の電極４の側面との間に処理ガスのプラズマが形成される。上述したように、各単位電極２５の表面の中心と、第一の電極４の側面との間の距離は等しくなっているので、各単位電極２５表面の面積が同じであれば、各単位電極２５上のプラズマ密度が略等しくなる。
【００１３】
次に、本発明の表面処理装置１に用いる電源装置について詳細に説明する。図２の符号８はその電源装置を示しており、電源装置８は、正電圧源３１と、負電圧源３２と、スイッチング回路３３とを有している。
【００１４】
スイッチング回路３３は、主スイッチ３４と補助スイッチ３５を有している。主及び補助スイッチ３４、３５は、三入力一出力であり、三個の入力端子のいずれか一個を出力端子に接続するように構成されている。
【００１５】
主スイッチ３４は、入力端子が、正電圧源３１に接続された端子と、他の電位とは絶縁された非接続の端子と、負電圧源３２に接続された端子とで構成されている。出力端子は第一の電極４に接続されており、入力端子のうちのいずれか一個の端子が出力端子と接続されるように構成されている。
【００１６】
補助スイッチ３５は、入力端子が、第一、第二の非接続の端子と、接地電位に接続された端子とで構成されており、出力端子は第一の電極４に接続されている。主スイッチ３４と補助スイッチ３５は連動しており、主スイッチ３４の出力端子が正電圧電源３１に接続されるときは、補助スイッチ３５の出力端子は第一の非接続の端子に接続され、第一の電極４に正電圧が印加される。
【００１７】
主スイッチ３４の出力端子が負電圧電源３２に接続されるときは、補助スイッチ３５の出力端子は第二の非接続の端子に接続され、第一の電極４には負電圧が印加される。主スイッチ３４の入力端子が、正電圧源３１から負電圧源３２に切り替わる間、及び、負電圧源３２から正電圧源３１に切り替わる間は、主スイッチ３４の出力端子は、非接続の端子に接続され、このとき、補助スイッチ３５の出力端子は接地電位に接続され、第一の電極４は接地電位に接続される。
【００１８】
正電圧源３１と負電圧源３２の出力電圧は変更可能であり、主スイッチ３４の出力端子が、正電圧源３１と、非接続の端子と負電圧源３２に接続される時間は調整可能である。従って、第一の電極４には、所望波形の交番電圧を印加することができる。それとは異なり、正電圧源３１又は負電圧源３２のいずれか一方の出力電圧の電位を接地電位にすると、第一の電極４には、正電圧、又は負電圧のパルスが所定間隔で連続する脈流電圧が印加される。
【００１９】
次に、樹脂フィルム１０を走行させる走行手段について説明する。
図１の符号１６、１７は樹脂フィルム１０が巻き取られたロールを示しており、上述した各単位電極２５は真空槽２内部の第一の電極４を中心とした一方の片側に配置されているのに対し、ロール１６、１７は真空槽２内部の他方の片側に配置されている。
【００２０】
ロール１６、１７には巻出軸１１と巻取軸１２が挿通されており、巻出軸１１が挿通されたロール１６から樹脂フィルム１０を繰り出して一方の片側へ送り、繰り出した樹脂フィルム１０を、第一の電極４と単位電極２５との間を通した後、他方の片側へ戻して巻取軸１２が挿通されたロール１７に巻き取ると、樹脂フィルム１０が第一の電極４の側面に掛け渡される。
【００２１】
巻取軸１２は不図示の駆動手段に接続され、駆動手段の動力を巻取軸１２に伝達すると、巻取軸１２がロール１７と一緒に回転し、樹脂フィルム１０がロール１７の周囲に巻き回される。
【００２２】
巻出軸１１は回転可能になっており、樹脂フィルム１０が巻き取られ、巻取軸１２側に引っ張られると、巻出軸１１と一緒にロール１６が回転し、樹脂フィルム１０がロール１６から繰り出され、樹脂フィルム１０が巻取軸１２に向かって走行する。このように、巻取軸１２の回転によって樹脂フィルム１０は走行するので、この表面処理装置１では、巻取軸１２が走行手段として機能する。
【００２３】
樹脂フィルム１０が走行するときには、ロール１６、１７の間に一定の張力がかかり、樹脂フィルム１０がロール１６、１７に向かって引っ張られるので、表面処理されるべき表面を単位電極２５側に向け、裏面を第一の電極４の側面に向けて樹脂フィルム１０を掛け渡せば、樹脂フィルム１０の裏面が第一の電極４の側面に密着する。
【００２４】
第一の電極４は中心軸線を中心として回転可能に構成されている。第一の電極４の側面と、その側面に密着した樹脂フィルム１０とが相対的に静止するように、第一の電極４を樹脂フィルム１０の走行に追従して回転させれば、樹脂フィルム１０の裏面は、第一の電極４の側面と密着したまま、擦れずに走行するので、樹脂フィルム１０の裏面が破損しない。従って、真空槽２内部には樹脂フィルム１０のパーティクルが発生しない。尚、第一の電極４が回転しずらい場合は、第一の電極４に樹脂フィルム１０に追従して回転する方向に力を加えてもよい。
【００２５】
次に、上記表面処理装置１を用いて樹脂フィルム１０の表面を表面処理する工程について詳細に説明する。真空槽２内部を真空排気しながらＡｒガスのような処理ガスを導入し、真空槽２内部に処理ガスを含む所定圧力の真空雰囲気を形成する。該真空雰囲気を維持し、樹脂フィルム１０を走行させながら、第一の電極４に矩形状の交番電圧を印加する。
【００２６】
真空槽２を接地電位に置いた状態で、第一の電極４に矩形状の交番電圧を印加すると、単位電極２５と対向する側面の近傍にプラズマが発生する。上述したように、樹脂フィルム１０は裏面が第一の電極４の側面に密着したまま走行するので、樹脂フィルム１０の表面がプラズマに曝され、第一の電極４に負電圧が印加された時には、樹脂フィルム１０の表面にＡｒ+イオンのような正イオンが入射する。
【００２７】
また、第一の電極４に正電圧を印加することで、樹脂フィルム１０上に電子を照射することで、前記負電圧を印加した時に樹脂フィルム１０上に帯電したプラスの電荷を電子の注入で緩和し、樹脂フィルム１０上のチャージアップによるブレークダウンでの絶縁破壊を未然に防ぐ。
【００２８】
電源装置８は第一の電極４に正電圧や負電圧を印加する時間を自由に調整可能であり、従って樹脂フィルム１０に入射するイオン量を制御可能である。図３に示すように、第一の電極４に負電圧を印加する時間を、正電圧を印加する時間よりも長くすれば、正イオンの入射量が多くなるので、樹脂フィルム１０の表面が活性化する（表面処理）。
【００２９】
プラズマの発生を維持しながら樹脂フィルム１０の走行を続け、巻出軸１１から挿通されたロール１６から樹脂フィルム１０が全部繰り出されたところで、樹脂フィルム１０の走行とプラズマの形成を停止する。
【００３０】
表面処理後の樹脂フィルム１０のロール１７を真空槽２から大気雰囲気に取出してから、蒸着装置のような成膜装置に搬入し、樹脂フィルム１０の表面処理された面に金属の蒸気を付着させて金属層を形成する。
【００３１】
上述した表面処理によって、樹脂フィルム１０の表面と金属層との間の密着力は高くされており、しかも、本発明により表面処理された樹脂フィルム１０は、大気に曝された程度では表面の活性化が失活しないので、樹脂フィルム１０から金属層がはがれにくい、金属層付きフィルムが得られる。
【００３２】
尚、表面処理条件の一例について説明すると、第一の電極４への矩形状の交番電圧の印加条件は、周波数が１ｋＨｚであり、出力電圧は、プラス側が１００Ｖ以上４００Ｖ以下（パルス巾が１．４μｓ）であり、マイナス側が７００Ｖ（パルス巾が１．４μｓ）である。第一、第二の電極４、５間の距離は１ｃｍ以上３ｃｍである。また、真空槽２に導入する処理ガスの流量は２０ｓｃｃｍであり、プラズマを形成する時の真空槽２内の圧力が２００Ｐａ以上１０００Ｐａ以下であるが、これらの条件は特に限定されるものではない。
【００３３】
本発明の表面処理方法は、樹脂フィルムの表面と、他の層との密着力を上昇させるものであり、樹脂フィルム１０の表面に形成する他の層は、蒸着法以外にも、スパッタ法、イオンプレーティング、メッキ法、コーティング法等種々の方法で形成可能であって、特に限定されるものでない。また、樹脂フィルム１０の表面処理と、他の層を形成する工程を同じ真空槽内で連続して行ってもよい。
【００３４】
樹脂フィルム１０表面に形成する金属層の種類も特に限定されるものではなく、金属層を構成する金属としては、例えばアルミニウム、銅、銀、クロム、錫の層等があり、これらの金属のうち、１種類単独で金属層を形成してもよいし、２種類以上を用いて金属層を用いてもよい。
【００３５】
更に、本発明の表面処理方法は、金属だけではなく、金属化合物や無機化合物の層に対する密着性も向上させるものであり、金属化合物や無機化合物としては、例えば、一酸化ケイ素、二酸化ケイ素、窒化ケイ素、酸窒化ケイ素等のケイ素化合物、酸化アルミニウム、窒化アルミニウム、酸化窒化アルミニウム、酸化インジウム、酸化錫、酸化錫インジウム、酸化亜鉛、二酸化チタン等の金属化合物がある。更に、本発明の表面処理方法は、無機物の層だけではなく、他の有機層や接着剤層等の有機物の層に対する密着性も向上させるが、本発明は特に樹脂フィルム１０の金属層に対する密着性を向上させるので、樹脂フィルム１０表面に。
【００３６】
本発明により表面処理を施す樹脂フィルムの種類は特に限定されないが、具体的には、ＰＥＴ樹脂等のポリエステル樹脂、ポリイミド樹脂、ポリプロピレン、ポリエチレン、ポリカーボネート、ポリアミド、ポリアセタール、ポリ塩化ビニリデン、ポリエーテルサルフォン、ポリアクリル酸エステル、ポリメタクリル酸エステル、ポリビニルアルコール、ポリスチレン、アクリル樹脂、フッソ樹脂、ビニル樹脂等の樹脂を主成分とするものを用いることができる。これらの樹脂を１種類で樹脂フィルム１０を構成してもよいし、２種類以上を用いて樹脂フィルム１０を構成してもよい。樹脂フィルム１０としては、樹脂の他にフィラー、着色剤、紫外線吸収剤、帯電防止剤等の添加剤が添加されたものを用いてもよい。
【００３７】
本発明は、フィルム状の細長の処理対象物を連続して処理し、処理対象物と他の膜との接着性を向上させる装置と方法を提供するものであるから、処理対象物であるフィルムは、可撓性を有し、第一の電極４の側面に掛け渡し可能なものであれば特に限定されず、具体的には、金属箔やセラミックシートの表面処理を行うこともできる。また、樹脂フィルムの表面に金属層や無機層を形成し、金属層や無機層表面を上記表面処理方法で処理することもできる。
【００３８】
本発明に用いる処理ガスの種類は特に限定されず、具体的にはアルゴンガス、ヘリウムガス、ネオンガス、クリプトンガス、水素ガス、酸素ガス、窒素ガス、二酸化炭素ガス、二酸化窒素ガス、炭化水素ガス、フッ素ガス、塩素ガス等種々のガスを用いることが可能であり、これらのガスは単独で用いてもよいし、２種類以上を混合して用いてもよい。
【００３９】
本発明の表面処理方法では、第一の電極４の側面近傍に密度の高いプラズマが形成されるため、樹脂フィルム１０が第一の電極４の側面から１ｍｍでも離れると表面処理効果が減ずる。従って、ロール１６と第一の電極４との間や、第一の電極４と巻取軸１２の間にテンションローラを設け、テンションローラをロール１６から第一の電極４に向かう樹脂フィルム１０や、第一の電極４から巻取軸１２に向かう樹脂フィルム１０に接触させることで、樹脂フィルム１０を第一の電極４に押し付けてもよい。テンションローラは一箇所にだけ設けてもよいし、２箇所以上に設けてもよい。
【００４０】
以上は、巻取軸１２だけに駆動手段の動力を伝達し、巻取軸１２を回転させる場合について説明したが、本発明はこれに限定されるものではなく、巻取軸１２と一緒に巻出軸１１や、第一の電極４を回転させてもよい。
【００４１】
以上は、第二の電極５が複数の単位電極２５で構成される場合について説明したが、本発明はこれに限定されるものではない。図４の符号４０は本発明の表面処理装置の他の例を示す断面図であり、この表面処理装置４０は、複数の単位電極２５の代わりに、湾曲した板状の第二の電極４５を有する以外は、図１の表面処理装置１と同じ構成を有している。
【００４２】
第二の電極４５は凹面４６が第一の電極５の側面に向けられており、凹面４６上の任意の点から第一の電極４側面までの最短距離を、凹面４６と第一の電極４との間の距離とすると、その距離は凹面４６上の各点で略等しくなるように、第二の電極４５が絶縁碍子４７に取り付けられている。従って、第二の電極４５を接地電位に置いた状態で、第一の電極４に上述した矩形状の交番電圧を印加すると、第一の電極４の側面と凹面４６の間に均一なプラズマが形成される。従って、樹脂フィルム１０は第二の電極４５と対向する領域を通過する間、均一なプラズマに曝されることになる。
【００４３】
以上は、第一の電極４と第二の電極５、４５との間の距離を略等しくする場合について説明したが、本発明はこれに限定されず、第一の電極４と、第二の電極５、４５の距離を変えて、第一の電極４と第二の電極５、４５との間のインピーダンスを調整してもよい。
【００４４】
例えば、複数の単位電極２５が並べられた場合は、列の両端の単位電極２５と、列の内側の単位電極２５とでは、隣接する単位電極２５の影響がことなるので、第一の電極４側面までの距離を、列の両端と内側とで変えて、各単位電極２５と第一の電極４との間のプラズマ密度を均一にしてもよい。また、単位電極２５と第一の電極４側面との距離を変えなくても、単位電極２５にインピーダンス素子を設ければ、単位電極２５毎にインピーダンスを調整可能である。
【００４５】
更に、各単位電極２５と第一の電極４との間のプラズマ密度を変え、樹脂フィルム１０が曝されるプラズマの密度を不均一にしてもよい。具体的には、樹脂フィルム１０を最初に強いプラズマに曝し、最後は弱いプラズマに曝されるようにしてもよいし、これとは逆に最初は弱いプラズマに曝し、最後は強いプラズマに曝してもよい。
【００４６】
単位電極２５の数も特に限定されるものではなく、単位電極２５の数を多くすれば、樹脂フィルム１０がプラズマに曝される時間が長くなるので、強く表面処理され、単位電極２５の数を少なくすれば、樹脂フィルム１９がプラズマに曝される時間が短くなるので、弱く表面処理される。このように、単位電極２５の数を変えることで、表面処理の程度を調整することができる。
【００４７】
また、図４に示すように第二の電極４５が１つの電極板で構成される場合には、第二の電極４５の樹脂フィルム１０の走行方向の長さをかえることで、樹脂フィルム１０がプラズマに曝される時間を変え、表面強度を変えることができる。更に、単位電極２５の数や、第二の電極４５の長さを変えなくても、樹脂フィルム１０の走行速度を変えることで、樹脂フィルム１０がプラズマに曝される時間を変えることもできる。
【００４８】
以上は、巻取軸１２で樹脂フィルム１０を巻き取ることで、樹脂フィルム１０を走行させる場合について説明したが、本発明はこれに限定されるものではなく、例えば、第一の電極４を積極的に回転させて、第一の電極４に密着した樹脂フィルム１０を巻取軸１２側へ送ってもよいし、巻出軸１１を樹脂フィルム１０が巻取軸１２側に送り出されるように積極的に回転させてもよい。いずれの場合も、送り出された樹脂フィルム１０を巻取軸１２で巻取り、樹脂フィルム１０に、巻き出し側のロール１６と、巻取り側のロール１７に向かって引っ張る力がかかるようにすれば、樹脂フィルム１０の裏面が第一の電極４の側面に密着する。
【００４９】
また、巻出しと巻取りを逆に回転することで、１回処理したものをさらに２回目の処理を行うことができる。さらに、２回目はガス種をかえることで、新しい機能を樹脂フィルム１０に付加することができる。
【図面の簡単な説明】
【００５０】
【図１】本発明の表面処理装置の一例を説明する図
【図２】本発明に用いる電源装置の一例を説明する図
【図３】矩形状の交番電圧の一例を説明する図
【図４】本発明の表面処理装置の他の例を説明する図
【符号の説明】
【００５１】
１……表面処理装置    ２……真空槽    ４……第一の電極    ５……第二の電極    ８……電源装置    １０……樹脂フィルム    １２……巻取軸    １６、１７……ロール    ２５……単位電極
【図１】
2006351437.tif 000003
【図２】
2006351437.tif 000004
【図３】
2006351437.tif 000005
【図４】
2006351437.tif 000006